(57)【特許請求の範囲】
【請求項１】
カラー映像を送受信可能なカメラドアホン子機とモニタ親機とからなり、前記カメラドアホン子機は、カメラの動作を検出するカメラ動作検出手段と、前記カメラ動作検出手段によりカメラが動作したことを検出してから一定時間の間に被写体の照度または撮像した映像信号のレベルを測定する測定手段と、前記測定手段が測定したレベルを予め定められた基準値と比較して、映像信号をカラーまたは白／黒に変換する映像信号変換手段とを備え、前記モニタ親機は、使用者の操作によって前記映像信号変換手段の動作を制御する映像信号変換指示手段を備え、前記カメラドアホン子機が、カメラが動作してから一定時間の間の被写体の照度または映像信号のレベルを測定して、そのレベルに応じて映像信号をカラーまたは白／黒に変換した後、前記モニタ親機からの操作により映像信号をカラーまたは白／黒に切り替えることを特徴とするカラーテレビドアホン装置。
【請求項２】
カラー映像を送受信可能なカメラドアホン子機とモニタ親機とからなり、前記カメラドアホン子機が、カメラが動作したことを検出するカメラ動作電圧検出回路と、被写体の照度を測定する照度測定回路と、前記カメラ動作電圧検出回路からのカメラ動作検出信号を基に照度測定回路を一定時間動作させる照度測定制御回路と、前記照度測定回路の出力と予め定められた照度基準信号とを比較する比較回路と、撮像された映像信号の中の色差信号を除去するスイッチング回路と、前記比較回路により前記照度測定回路の出力が予め定められた照度基準信号よりも低いと判断された場合に、前記スイッチング回路を動作させて色差信号を除去する映像信号切替指示検出回路とを備え、前記モニタ親機が、使用者が操作する映像状態切替スイッチの信号を受けて、前記カメラドアホン子機の映像信号切替指示検出回路を動作させる映像信号切替指示発生回路を備えたカラーテレビドアホン装置。
【請求項３】
カラー映像を送受信可能なカメラドアホン子機とモニタ親機とからなり、前記カメラドアホン子機が、カメラが動作したことを検出するカメラ動作電圧検出回路と、被写体の照度を測定する照度測定回路と、前記カメラ動作電圧検出回路からのカメラ動作検出信号を基に照度測定回路を一定時間動作させる照度測定制御回路と、前記照度測定回路の出力と予め定められたレベルの異なる２つの基準値を有する照度基準信号とを比較する比較回路と、撮影された映像信号を増幅する映像信号増幅回路と、撮像された映像信号の中の色差信号を除去するスイッチング回路と、前記照度測定回路の出力が予め定められたレベルの異なる２つの基準値よりも低いか高いかに応じて、前記スイッチング回路の動作を制御するとともに、前記映像信号増幅回路の増幅率を制御する映像信号切替指示検出回路とを備え、前記モニタ親機が、使用者が操作する映像状態切替スイッチの信号を受けて、前記カメラドアホン子機の映像信号切替指示検出回路を動作させる映像信号切替指示発生回路を備え、前記モニタ親機からの操作により映像信号を少なくとも３段階に段階的に切り替えることを特徴とするカラーテレビドアホン装置。
【発明の詳細な説明】
【０００１】
【発明の属する技術分野】
本発明は、玄関子機と室内モニタ親機との間でカラー映像の送受信および通話を行なうカラーテレビドアホン装置、特にそのカラー映像を周囲の明るさに応じて変更するための技術に関する。
【０００２】
【従来の技術】
特公平５−４５１１９号公報には、被写体照度が低くなった環境下にあってＳ／Ｎ比が低下したときは、自動的に被写体の見ぐるしい色をカットし、白／黒映像に切り替えるカラーテレビ通話装置が開示されている。図５はその概略構成を示している。カメラドアホン子機Ａとモニタ親機Ｂとからなるシステムにおいて、カメラドアホン子機Ａには、カラーカメラを搭載したカメラ部１０１と、カメラ部１０１からの映像信号を増幅する映像信号増幅回路１０２と、映像信号中の輝度信号を処理する輝度信号処理回路１０３と、映像信号を整流する整流回路１０４と、映像信号の予め定められたレベルの基準電圧を発生する基準信号１０５と、整流回路１０４の出力を基準信号１０５と比較する比較回路１０６と、比較回路１０６により映像信号が所定のレベル以下になってＳ／Ｎ比が低下したときに、映像信号からカラーバースト信号を消去するスイッチング回路１０７と、映像信号中の色差信号を処理する色差信号処理回路１０８と、得られた輝度信号と色差信号とから映像信号を合成するエンコーダ１０９と、合成された映像信号をモニタ親機Ｂに送出するためのモニタ親機Ｉ／Ｆ回路１１０と、その他の回路１１１とを備えている。
【０００３】
被写体照度が十分に明るい場合は、基準信号１０５で定めたレベル以上の映像信号が映像信号増幅回路１０２から出力されるため、比較回路１０６は動作しない。このため、カラーバースト信号がスイッチング回路１０７を経由して色差信号処理回路１０８に送られ、エンコーダ１０９からは通常のカラー映像信号がモニタ親機Ｂに送出される。被写体照度が低下した場合は、基準信号１０５で定めたレベル以下の映像信号が映像信号増幅回路１０２から出力されるため、比較回路１０６が動作し、スイッチング回路１０７が開成される。このため、カラーバースト信号が遮断され、色差信号処理回路１０８が動作しないので、輝度信号処理回路１０３のみによる白／黒の映像信号がモニタ親機Ｂに送出される。
【０００４】
このように、従来のカラーテレビドアホン装置でも、被写体照度が一定レベル以下になった場合は、カラー映像から白／黒映像に切り替えて、見苦しい着色映像を遮断できるようになっている。
【０００５】
【発明が解決しようとする課題】
しかしながら、上記従来のカラーテレビドアホン装置では、被写体照度が一定レベル以上か以下を判断することによって、装置が自動的にカラー映像かまたは白／黒映像に切り替えており、モニタする使用者の視感覚が考慮されていない。被写体にとって適切でない照明の場合、カラー映像がよい場合と白／黒映像がよい場合とがあり、そのどちらがよいかは、見るものの感覚に左右される。また、少々色合いが分かりづらくてもカラー映像で見たい、または白／黒で見たい等の使用者の好みの問題もある。
【０００６】
本発明は、このような従来の問題を解決するものであり、モニタする映像をカラーか白／黒かを自動的に判断する自動モードに加えて、室内の親機モニタから使用者の意志により任意に切り替えることのできるカラーテレビドアホン装置を提供することを目的とする。
【０００７】
【課題を解決するための手段】
本発明は、上記目的を達成するために、カメラドアホン子機に、カメラの動作を検出するカメラ動作検出手段と、カメラ動作検出手段によりカメラが動作したことを検出してから一定時間の間に被写体の照度または撮像した映像信号のレベルを測定する測定手段と、測定手段が測定したレベルを予め定められた基準値と比較して、映像信号をカラーまたは白／黒に変換する映像信号変換手段とを設け、モニタ親機に、使用者の操作によって映像信号変換手段の動作を制御する映像信号変換指示手段を設けたものであり、これにより、モニタする映像をカメラが動作してからの一定時間で自動的にカラーか白／黒かに変換した後、室内のモニタ親機から使用者の意思によりカラーか白／黒かに任意に切り替えることができる。
【０００８】
【発明の実施の形態】
本発明の請求項１に記載の発明は、カラー映像を送受信可能なカメラドアホン子機とモニタ親機とからなり、前記カメラドアホン子機は、カメラの動作を検出するカメラ動作検出手段と、前記カメラ動作検出手段によりカメラが動作したことを検出してから一定時間の間に被写体の照度または撮像した映像信号のレベルを測定する測定手段と、前記測定手段が測定したレベルを予め定められた基準値と比較して、映像信号をカラーまたは白／黒に変換する映像信号変換手段とを備え、前記モニタ親機は、使用者の操作によって前記映像信号変換手段の動作を制御する映像信号変換指示手段を備え、前記カメラドアホン子機が、カメラが動作してから一定時間の間の被写体の照度または映像信号のレベルを測定して、そのレベルに応じて映像信号をカラーまたは白／黒に変換した後、前記モニタ親機からの操作により映像信号をカラーまたは白／黒に切り替えることを特徴とするカラーテレビドアホン装置であり、自動モードでは満足できない場合、使用者の意思により映像状態を調整することにより、使用者にとって最適な映像を見ることができるという作用を有する。
【０００９】
本発明の請求項２に記載の発明は、カラー映像を送受信可能なカメラドアホン子機とモニタ親機とからなり、前記カメラドアホン子機が、カメラが動作したことを検出するカメラ動作電圧検出回路と、被写体の照度を測定する照度測定回路と、前記カメラ動作電圧検出回路からのカメラ動作検出信号を基に照度測定回路を一定時間動作させる照度測定制御回路と、前記照度測定回路の出力と予め定められた照度基準信号とを比較する比較回路と、撮像された映像信号の中の色差信号を除去するスイッチング回路と、前記比較回路により前記照度測定回路の出力が予め定められた照度基準信号よりも低いと判断された場合に、前記スイッチング回路を動作させて色差信号を除去する映像信号切替指示検出回路とを備え、前記モニタ親機が、使用者が操作する映像状態切替スイッチの信号を受けて、前記カメラドアホン子機の映像信号切替指示検出回路を動作させる映像信号切替指示発生回路を備えたカラーテレビドアホン装置であり、自動モードでは満足できない場合、使用者の意思により映像状態を調整することにより、使用者にとって最適な映像を見ることができるという作用を有する。
【００１１】
本発明の請求項３に記載の発明は、カラー映像を送受信可能なカメラドアホン子機とモニタ親機とからなり、前記カメラドアホン子機が、カメラが動作したことを検出するカメラ動作電圧検出回路と、被写体の照度を測定する照度測定回路と、前記カメラ動作電圧検出回路からのカメラ動作検出信号を基に照度測定回路を一定時間動作させる照度測定制御回路と、前記照度測定回路の出力と予め定められたレベルの異なる２つの基準値を有する照度基準信号とを比較する比較回路と、撮影された映像信号を増幅する映像信号増幅回路と、撮像された映像信号の中の色差信号を除去するスイッチング回路と、前記照度測定回路の出力が予め定められたレベルの異なる２つの基準値よりも低いか高いかに応じて、前記スイッチング回路の動作を制御するとともに、前記映像信号増幅回路の増幅率を制御する映像信号切替指示検出回路とを備え、前記モニタ親機が、使用者が操作する映像状態切替スイッチの信号を受けて、前記カメラドアホン子機の映像信号切替指示検出回路を動作させる映像信号切替指示発生回路を備え、前記モニタ親機からの操作により映像信号を少なくとも３段階に段階的に切り替えることを特徴とするカラーテレビドアホン装置であり、使用者がカラーモードと白／黒モードの選択だけでなく、カラーモードの感度を上げた映像状態をも選択できるようにすることにより、使用者にとってさらに最適な映像を見ることができるという作用を有する。
【００１３】
（実施の形態１）
図１は本発明の第１の実施の形態におけるカラーテレビドアホン装置の構成を示すものである。図１において、Ａはカメラドアホン子機、Ｂはモニタ親機である。カメラドアホン子機Ａにおいて、１はカラーカメラを搭載したカメラ部、２はカメラ部１からの映像信号を増幅する映像信号増幅回路、３は映像信号中の輝度信号を処理する輝度信号処理回路、４は色差信号を除去する際の同期をとる同期信号発生回路、５は色差信号を除去するスイッチング回路、６は色差信号を処理する色差信号処理回路、７は得られた輝度信号と色差信号とから映像信号を合成するエンコーダ、８は合成された映像信号をモニタ親機Ｂに送出するためのモニタ親機Ｉ／Ｆ回路である。９は被写体の照度を測定する照度測定回路、１０は予め定められた基準電圧を出力する照度基準信号、１１は照度測定回路９の出力と照度基準信号１０とを比較する比較回路、１２は比較回路１１により照度測定回路９の照度基準信号１０よりも低いと判断された場合に、スイッチング回路５を動作させて色差信号を除去させる映像信号切替指示検出回路、１３はインターホン機能や電源部を含むその他の回路である。モニタ親機Ｂにおいて、２１はカメラドアホン子機Ａのモニタ親機Ｉ／Ｆ回路８に接続されたカメラドアホン子機Ｉ／Ｆ回路、２２はカメラドアホン子機Ａからの映像信号を出力して映像を映し出す表示部、２３は使用者が操作する映像状態切替スイッチ、２４は映像状態切替スイッチ２３からの信号を受けて、それぞれＩ／Ｆ回路２１、８を通じてカメラドアホン子機Ａの映像信号切替指示検出回路１２を動作させる映像信号切替指示発生回路、２５はカメラドアホン子機Ａのカメラ部に電源を供給するためのカメラ動作電源送出回路、２６はインターホン機能や電源部を含むその他の回路である。
【００１４】
次に上記実施の形態における動作について説明する。被写体照度が明るい場合は、カメラ部１から出力された映像信号は、映像信号増幅回路２によって増幅され、輝度信号は、輝度信号処理回路３で処理され、エンコーダ７へ送出される。一方、色差信号は、スイッチング回路５を通過して色差信号処理回路６で処理され、エンコーダ７へ送出される。エンコーダ７によって合成された映像信号は、モニタ親機Ｉ／Ｆ回路８を経由してモニタ親機Ｂに出力され、カメラドアホン子機Ｉ／Ｆ回路２１を経由して表示部２２によってカラー映像として再現される。一方、被写体照度が低い場合は、照度測定回路９の出力と予め設定した照度基準信号１０とが比較回路１１で比較され、照度測定回路９の出力よりも照度基準信号１０の方が小さい場合は、スイッチング回路５が動作せず、上記と同じ動作となる。照度測定回路９の出力よりも照度基準信号１０の方が大きい場合は、映像信号切替指示検出回路１２が、カメラ部１にある赤外ＬＥＤを点灯させるとともに、スイッチング回路５を制御して色差信号をカットし、エンコーダ７から出力される映像信号を白／黒とし、モニタ親機Ｉ／Ｆ回路８からモニタ親機Ｂのカメラドアホン子機Ｉ／Ｆ回路２１を経由して、表示部２２によって白／黒の映像として再現される。以上が自動モードである。
【００１５】
一方、モニタ親機Ｂを監視している使用者が、映像状態切替スイッチ２３を操作してオンすると、映像信号切替指示発生回路２４がその信号を検出し、カメラドアホン子機Ｉ／Ｆ回路２１からカメラドアホン子機Ａのモニタ親機Ｉ／Ｆ回路８を経由して、映像信号切替指示検出回路１２に伝えられる。このとき、モニタ親機Ｂで受像している映像が白／黒の場合は、スイッチング回路５を制御して色差信号のカットをやめてカラー映像とし、映像信号がカラーの場合は、逆にスイッチング回路５を制御して色差信号をカットして白／黒映像とする。
【００１６】
以上のように、本実施の形態１によれば、使用者がモニタ親機Ｂの映像状態切替スイッチ２３を操作することにより、装置の自動モードによって自動的に選択された映像の状態を、使用者の意志によって変更することができる。
【００１７】
（実施の形態２）
図２は本発明の第２の実施の形態におけるカラーテレビドアホン装置の構成を示すものであり、図１に示したカメラドアホン子機Ａの構成に、カメラ部１のカメラが動作したことを検出するカメラ動作電圧検出回路１４と、カメラ動作電圧検出回路１４からのカメラ動作検出信号を基に照度測定回路９を一定時間動作させる照度測定制御回路１５とを加えたものである。
【００１８】
したがって本実施の形態２によれば、実施の形態１の効果に加え、カメラ動作電圧検出回路１４がカメラ部１のカメラが動作したことを検出したときにのみ、照度測定制御回路１５が照度測定回路９を一定時間動作させるので、カメラ部１のカメラが動作しないとき、すなわち被写体が動かないときは、照度がいくら変化しようとも、使用者が設定した映像状態を維持することにより、使用者にとって見やすい画面をそのまま継続して見ることができる。
【００１９】
（実施の形態３）
図３は本発明の第３の実施の形態におけるカラーテレビドアホン装置の構成を示すものであり、図１に示したカメラドアホン子機Ａの構成における照度基準信号１０の代わりに、レベルの異なる２つの基準値Ａ、Ｂを有する照度基準信号１６と、比較回路１１の代わりに、照度基準信号１６の２つの基準値Ａ、Ｂと照度測定回路９からの出力とを比較する比較回路１７と、映像信号切替指示検出回路１２の代わりに、照度測定回路９の出力が予め定められたレベルの異なる２つの基準値Ａ、Ｂよりも低いか高いかに応じて、スイッチング回路５の動作を制御するとともに、映像信号増幅回路２の増幅率を制御する映像信号切替指示検出回路１８とを備えたものである。
【００２０】
次に、本実施の形態の動作について説明するが、実施の形態１に対して変更のない部分の動作は同じなので、以下には変更した部分の動作についてのみ説明する。照度測定回路９の出力と照度基準信号１６の予め設定した基準値ＡとＢ（Ａ＞Ｂ）とが比較回路１７で比較される。自動モードの場合、照度測定回路９の出力がＡよりも大きい場合は上記実施の形態１と同じカラー映像となり、照度測定回路１１の出力がＢよりも大きくＡよりも小さい場合は、映像信号切替指示検出回路１８が映像信号増幅回路２を制御して通常の増幅率よりも大きく増幅し、エンコーダ７から出力される映像信号をゲインアップしたカラー映像信号としてモニタ親機Ｉ／Ｆ回路８から親機モニタＢに出力する。また、照度測定回路９の出力がＢより小さい場合は、映像信号切替指示検出回路１８を制御してカメラ部１に設けられた赤外ＬＥＤを点灯させるとともに、スイッチング回路５を制御して色差信号をカットし、エンコーダ７から出力される映像信号を白／黒とし、モニタ親機Ｉ／Ｆ回路８からモニタ親機Ｂに出力する。
【００２１】
一方、モニタ親機Ｂを監視している使用者が、映像状態切替スイッチ２３を操作してオンすると、映像信号切替指示発生回路がその信号を検出し、カメラドアホン子機Ｉ／Ｆ回路２１からカメラドアホン子機Ａのモニタ親機Ｉ／Ｆ回路８を経由して、映像信号切替指示検出回路１８に伝えられる。このとき、モニタ親機Ｂで受像している映像が、白／黒の場合は、スイッチング回路５を制御して色差信号のカットをやめて通常のカラー映像とし、映像がゲインアップされたカラー映像の場合は、スイッチング回路５を制御して色差信号のカットをやめて白／黒映像とし、通常のカラー映像の場合は、映像信号増幅回路２を制御して通常の増幅率よりも大きいゲインアップしたカラー映像とする。すなわち、受像している映像状態により、「通常カラー」→「ゲインアップしたカラー」→「白／黒」→「通常カラー」のように映像状態が変化する。
【００２２】
以上のように、本実施の形態３によれば、レベルの異なる２つの基準値Ａ、Ｂを有する照度基準信号１６と、照度基準信号１６の２つの基準値Ａ、Ｂと照度測定回路９からの出力とを比較する比較回路１７と、照度測定回路９の出力が予め定められたレベルの異なる２つの基準値Ａ、Ｂよりも低いか高いかに応じて、スイッチング回路５の動作を制御するとともに、映像信号増幅回路２の増幅率を制御する映像信号切替指示検出回路１８とを備えているので、使用者がカラーモードと白／黒モードの選択だけでなく、カラーモードの感度を上げた状態も選択できるようにし、さらに満足できる映像を見ることができる。
【００２３】
（実施の形態４）
図４は本発明の第４の実施の形態におけるカラーテレビドアホン装置の構成を示すものであり、図３に示したカメラドアホン子機Ａの構成に、カメラ部１のカメラが動作したことを検出するカメラ動作電圧検出回路１４と、カメラ動作電圧検出回路１４からのカメラ動作検出信号を基に照度測定回路９を一定時間動作させる照度測定制御回路１５とを加えたものである。
【００２４】
したがって本実施の形態４によれば、実施の形態３の効果に加え、カメラ動作電圧検出回路１４がカメラ部１のカメラが動作したことを検出したときにのみ、照度測定制御回路１５が照度測定回路９を一定時間動作させるので、カメラ部１のカメラが動作しないとき、すなわち被写体が動かないときは、照度がいくら変化しようとも、使用者が設定した映像状態に維持することにより、使用者にとって見やすい画面をそのまま継続して見ることができる。
【００２５】
なお、以上の説明では、照度測定回路９により被写体の照度を検出して映像状態を自動的に設定している例で説明したが、前記した特公平５−４５１１９号公報に記載されているような映像信号のレベルを検出して映像状態を自動的に設定する装置に対しても、本発明を同様に適用可能である。また、映像状態切替スイッチの動作信号を送る手段については、本発明とは直接関係しないため、詳細の説明は省略する。
【００２６】
【発明の効果】
以上のように、本発明によれば、通常は自動的に映像状態を選択して満足して使用していても、被写体にとって適切でない照明があった場合や、使用者の感覚に合わない映像状態があった場合でも、使用者の意志によって自由に映像状態を選択できるという効果が得られる。
【図面の簡単な説明】
【図１】本発明の実施の形態１におけるカラーテレビドアホン装置の構成を示すブロック図
【図２】本発明の実施の形態２におけるカラーテレビドアホン装置の構成を示すブロック図
【図３】本発明の実施の形態３におけるカラーテレビドアホン装置の構成を示すブロック図
【図４】本発明の実施の形態４におけるカラーテレビドアホン装置の構成を示すブロック図
【図５】従来のカラーテレビドアホン装置の構成を示すブロック図
【符号の説明】
１  カメラ部
２  映像信号増幅回路
３  輝度信号処理回路
４  同期信号発生回路
５  スイッチング回路
６  色差信号処理回路
７  エンコーダ
８  モニタ親機Ｉ／Ｆ回路
９    照度測定回路
１０、１６    照度基準信号
１１、１７    比較回路
１２、１８    映像信号切替指示検出回路
１３    その他回路
１４    カメラ動作電圧検出回路
１５  照度測定制御回路
２１  カメラドアホン子機Ｉ／Ｆ回路
２２  表示部
２３  映像状態切替スイッチ
２４    映像信号切替指示発生回路
２５    カメラ動作電源送出回路
Ａ  カメラドアホン子機
Ｂ  モニタ親機
【図１】
0003596654.tif 000002
【図２】
0003596654.tif 000003
【図３】
0003596654.tif 000004
【図４】
0003596654.tif 000005
【図５】
0003596654.tif 000006